(57)【要約】【課題】使い勝手や組立性、防水性を損なうことなく、報知音の放音性を改善した電子体温計を提供する。【解決手段】本体ケース２内に設けられるサブケース８のブザー収納部８０にブザー９が配置されている。ブザー９は、振動板９１上に圧電板９０が取付けられてなり、振動板９１は、円形の対向周部９１ａを弓形に切除した形状である。ブザー９は、このブザー９上に配置されたブザーカバー１１により、その長手方向の相対向する両端部付近が固定支持された状態になる。ブザー９の動作時には、振動板９１が相対向する両端支持条件で振動することにより、音響変換効率がより高くなる。【選択図】　　　図６
2004020241.tif 000002
【特許請求の範囲】
【請求項１】
本体ケースと、この本体ケース内に設けられたブザー支持部材と、このブザー支持部材により支持されたブザーとを備え、前記ブザーは、円形の対向周部を弓形に切除した形状若しくは略長方形の形状とし、このブザーの長手方向に相対向する両端部付近は、前記ブザー支持部材によって固定支持されたことを特徴とする電子体温計。
【請求項２】
前記ブザーは、前記ブザー支持部材に設けられた、前記ブザーの長手方向に相対向する両端部付近に接触する支持部によって固定支持されることを特徴とする請求項１記載の電子体温計。
【請求項３】
前記ブザー支持部材には、ブザー駆動回路を含む制御回路部を収納したことを特徴とする請求項１又は請求項２記載の電子体温計。
【請求項４】
前記ブザー支持部材は音響室を備え、当該音響室の開放した側面には前記ブザーの支持部を形成し、前記ブザーに対向する側面には放音孔を形成したことを特徴とする請求項１、請求項２又は請求項３記載の電子体温計。
【請求項５】
前記ブザー支持部材若しくは前記回路基板に前記ブザーを固定するためのブザー固定部材を備え、前記ブザーは、前記ブザー固定部材に設けられた、前記ブザーの長手方向に相対向する両端部付近に接触する固定部によって固定支持されることを特徴とする請求項１、請求項２、請求項３又は請求項４記載の電子体温計。
【請求項６】
前記ブザー固定部材は、その固定部により前記ブザーに接触するとともに、前記本体ケースにも接触する形状としたことを特徴とする請求項５記載の電子体温計。
【発明の詳細な説明】
【０００１】
【発明の属する技術分野】
本発明は、電子体温計に関し、特に報知音の放音性を改善した電子体温計に関する。
【０００２】
【従来の技術】
電子体温計は、被測定者の腋下や舌下などの被測定部位の温度を検出して体温を測定するため、被測定者は体温測定中や測定完了などの電子体温計の状態を目視で確認し難い。そのために、従来よりブザーなどにより音を発することで電子体温計の状態を報知する構成が用いられてきた。報知をより確実なものとするためにはブザーの音圧を大きくすることが有用であり、より大きいブザーを使用したり、ブザーに印加する駆動電圧をより高くすることでブザーの音圧は増大する。
【０００３】
しかし、電子体温計の使い勝手を考慮すると外見寸法には制約があり、限られた寸法の電子体温計内に収納できるブザーや回路部品の大きさには制限があるため、上記のような音圧増大の手法にも制限がある。そこで、従来の電子体温計においては、ブザーの放音性を改善する技術として、円形のブザーを本体ケース内面のリブに接触させ、空間を共鳴空間とする構成（特公平４−３０５１２号）や、本体ケースの一部を薄肉にして形成した凹部にブザーを配置して、上記同様に共鳴空間を構成するとともに、本体ケースの薄肉部とブザーとの固有振動数を同じにする構成（特公平４−７７２５７号）や、本体ケースの内部空間と外部とを連通する放音経路や放音孔を設ける構成（特開昭６１−６２８３１号、特許２５３９２２４号）があった。
【０００４】
【発明が解決しようとする課題】
しかしながら、このような電子体温計にあっては、共鳴空間による音圧増幅効果については、共鳴領域を筐体の内面を利用して構成しており、筐体の構造が複雑になったり、ブザーを接着剤で筐体に固定するなど組立が困難になったりするという問題点がある。
【０００５】
特許２５３９２２４号では、筐体と分離されたブザーユニットに共振室を設けた構成も開示されているが、回路基板が固定されたモジュール枠とは別ユニットであり、部品点数や組立工数が多いという問題点や、ブザーと回路基板とをリード線接続とするためには、組み立てられた状態における必要な長さよりも長いリード線が必要となり、余分な長さのリード線を収納するために本体ケースが大きくなったり、リード線が屈曲により断線したりするという問題点もある。
【０００６】
また、放音経路や放音孔を本体ケースに設けることで放音性を向上させる構成では、空洞部や共振室と体温計外部とが連通してしまい、完全な防水性を確保できないという問題点がある。
【０００７】
更に、共振室が浸水したことを想定すると、共振室より内部に収納した電気回路などへのさらなる浸水を防止するために、ブザーと共振室とは気密的に密着させる必要がある。そのために、ブザーの全周縁は共振室に接着して固定されているが、ブザーの振動板は周辺固定条件で振動し、１次固有振動数での最大変位点は中心点のみとなるため、音響変換効率が低いという問題点がある。
【０００８】
本発明は、このような従来技術の課題を解決することを目的としてなされたもので、使い勝手や組立性、防水性を損なうことなく、報知音の放音性を改善した電子体温計を提供するものである。
【０００９】
【課題を解決するための手段】
上記目的を達成するために、本発明の電子体温計は、本体ケースと、この本体ケース内に設けられたブザー支持部材と、このブザー支持部材により支持されたブザーとを備え、前記ブザーは、円形の対向周部を弓形に切除した形状若しくは略長方形の形状とし、このブザーの長手方向に相対向する両端部付近は、前記ブザー支持部材によって固定支持されたことを特徴とする。
【００１０】
このブザーの形状により、限られた収納スペースの中でもブザーの振動板をより大きく確保することができる。その上、ブザーの振動板は相対向する両端支持条件で振動し、１次固有振動数での最大変位点は固定された各両端片からそれぞれ等距離を置いた線に沿って存在するため、全周縁を固定した従来技術に比べて最大振幅がより大きくなり、かつ最大変位領域がより広くなるので、音響変換効率をより高くすることができる。
【００１１】
前記ブザーは、前記ブザー支持部材に設けられた、前記ブザーの長手方向に相対向する両端部付近に接触する支持部によって固定支持されることが好適である。
【００１２】
また、前記ブザー支持部材には、ブザー駆動回路を含む制御回路部を収納することが好適である。これにより、ブザーとブザー駆動回路とは短いリード線で接続することができるために、本体ケースの大型化や必要以上に長いリード線の屈曲による断線といった従来技術における問題点を解決することができる。
【００１３】
更に、前記ブザー支持部材は音響室を備え、当該音響室の開放した側面には前記ブザーの支持部を形成し、前記ブザーに対向する側面には放音孔を形成することが好適である。これにより、本体ケースに音響空間を形成する従来技術に比べて本体ケースの形状がシンプルとなり、本体ケースにブザーを接着するという面倒な組立も不要となり、少ない部品点数で音圧増幅効果をもたらすことができる。
【００１４】
ここで、前記ブザー支持部材若しくは前記回路基板に前記ブザーを固定するためのブザー固定部材を備え、前記ブザーは、前記ブザー固定部材に設けられた、前記ブザーの長手方向に相対向する両端部付近に接触する固定部によって固定支持されることが好適である。これにより、ブザーの音響室や回路基板への固定に接着剤などを用いる必要がないため、組立がより簡単となり、かつ、ブザーの振動板は相対向する両端支持条件で振動し、１次固有振動数での最大変位点は固定された各両端片からそれぞれ等距離を置いた線に沿って存在するため、全周縁を固定した従来技術に比べて最大変位領域がより広くなるので、音響変換効率をより高くすることができる。
【００１５】
更に、前記ブザー固定部材は、その固定部により前記ブザーに接触するとともに、前記本体ケースにも接触する形状とすることが好適である。これにより、ブザーの振動がブザー支持部材を介して本体ケースに伝わるため、報知音の放音性をより改善することができる。
【００１６】
【発明の実施の形態】
以下、図面を参照して本発明の実施形態を説明する。
【００１７】
本発明の技術を用いた電子体温計１の１実施形態の外観を図１に示す。図１の（ａ）が平面図、（ｂ）が右側面図である。また、電子体温計１の内部構造を図２に示す。
【００１８】
この電子体温計１は、本体ケース２、この本体ケース２の先細状の先端部に設けられた検温部３、本体ケース２の後端部に着脱可能に取付けられた電池カバー部４、測定結果などを表示する表示部（ＬＣＤ）５、本体ケース２の後端部に設けられた測定開始指示のための押しボタン６、及び本体ケース２内に配置された中間ユニット７を有する。
【００１９】
中間ユニット７は、サブケース８にブザー９、制御回路基板１０、ブザーカバー１１、表示部５、電池１２、並びに各部材を電気的に接続するリード線や端子及び検温部３を構成する熱電対（符号のないものはいずれも図示していない）などを組み付けたものである。
【００２０】
この電子体温計１による被測定者の体温測定は、公知の技術によるため詳細な説明は省略するが、押しボタン６が押されると、制御回路基板１０は初期化処理を行い、測定準備が完了すると、表示部５とブザー９とにより測定準備完了を報知する。被測定者の腋下や舌下などの被測定部位に検温部３を接触させると、制御回路基板１０が測温処理を開始し、検温部３の温度検出結果より体温の測定値を演算する。体温測定が完了すると、ブザー９により測定完了を報知し、表示部５に体温の測定値を表示する。
【００２１】
ブザー９は、図３の（ａ）に示すように、圧電板９０と振動板９１とを主な構成部材とし、振動板９１上に圧電板９０が取付けられた構造である。圧電板９０は円形であるが、振動板９１の形状は、円形の対向周部９１ａを弓形に切除した形状としている。図３の（ｂ）に示すような円形の振動板９１′で構成したブザー９′の場合は、電子体温計内の収納スペース、例えばサブケース８のブザー収納部８０（図５参照）の幅方向（図２のＡ方向）の寸法により、振動板９１′の直径が制約される。
【００２２】
しかし、図３の（ａ）に示すブザー９のような形状とすれば、振動板９１の切除した対向周部９１ａ間の距離、つまり振動板９１の幅Ｗはブザー収納スペースの制約を受けるものの、長手方向の長さＬについてはブザー収納部８０の幅方向の寸法には制約を受けないため、幅Ｗよりも長くすることができ、同じ幅Ｗを持つ円形のブザー、つまり直径が幅Ｗのブザーよりも実質的に大きなブザーを収納することが可能となり、その分ブザーの音圧が大きくなる。
【００２３】
この実施形態における電子体温計１では、ブザー９の形状を円形の対向周部９１ａを弓形に切除した形状としたが、例えば図４に示すような長方形の形状でも同様の効果を奏する。
【００２４】
中間ユニット７におけるブザー９の組み付け状態を図５及び図６に示す。ブザー支持部材であるサブケース８のブザー収納部８０周辺の拡大斜視図を図５に、サブケース８とブザー９とブザー固定部材であるブザーカバー１１の位置関係（分解斜視図）を図６の（ａ）に、図６の（ａ）に示したＢ−Ｂ線断面におけるサブケース８、ブザー９及びブザーカバー１１の組み付け状態（断面図）を図６の（ｂ）にそれぞれ示す。また、図６の（ｂ）の部分拡大断面図を図７に示す。
【００２５】
ブザー９は、ブザー支持部材であるサブケース８のブザー収納部８０に設けた支持部８１の上に配置される。更に、ブザー収納部８０の底面８０ａには、放音孔８０ｃが設けられている。支持部８１にブザー９を配置した状態では、ブザー収納部８０の底面８０ａ、円筒状の側面８０ｂ及びブザー９が空間を形成する。これにより、この空間がブザー９の動作時には共鳴空間となり、ブザー９の音圧が増大する。ここでは、ブザー収納部８０は音響室でもある。
【００２６】
サブケース８のブザー収納部８０に収納されたブザー９の上には、ブザー固定部材であるブザーカバー１１が配置される。図５に示すように、ブザー収納部８０に設けた支持部８１はブザー９の振動板９１の全周縁を支持するように設けられているが、図６の（ｂ）及び図７に示すように、ブザー９の上に配置されたブザーカバー１１は、ブザー９の振動板９１に対して、円弧状の部分９１ｂ〔図３の（ａ）参照〕の縁部にのみ接触するように固定部１１０が形成されている。そのため、ブザー９は長手方向の相対向する両端部付近をブザーカバー１１により固定支持された状態となり、ブザー９の動作時には、振動板９１は相対向する両端支持条件で振動することとなる。
【００２７】
これにより、ブザー９の１次固有振動数での最大変位点は、ブザーカバー１１との接触により固定された両側面のそれぞれ最も内側の位置から、それぞれ等距離を置いた線に沿って存在するため、全周縁を固定した従来技術に比べて最大変位領域がより広くなり、音響変換効率をより高くすることができる。
【００２８】
なお、ここではブザー固定部材であるブザーカバー１１の形状により、ブザー９の振動板９１を相対向する両端支持条件で振動させるように固定支持する構成としたが、ブザーカバー１１の代わりに、ブザー支持部材であるサブケース８のブザー収納部８０に設けた支持部８１を、ブザー９の振動板９１に対して円弧状の部分９１ｂの縁部にのみ接触するような形状とすることで構成しても構わない。更に、ブザー収納部８０の支持部８１及びブザーカバー１１の双方とも、ブザー９の振動板９１に対して円弧状の部分９１ｂの縁部にのみ接触するような形状とすることで構成しても構わない。
【００２９】
また、ブザーカバー１１にはブザー９と制御回路基板１０との電気的接続のためのリード線を通すための切欠１１ａ〔図６の（ａ）参照〕をブザー９の長手方向の最端部に相当する位置に設けているが、固定部１１０がブザー９の振動板９１を相対向する両端支持条件で振動させるように固定支持していれば、この切欠１１ａを設けたブザーカバー１１のように必ずしもブザーの長手方向の最端部を固定支持しなくても本発明による効果は得られる。
【００３０】
図７において、中間ユニット７を本体ケース２に収納した状態で、中間ユニット７に配置したブザーカバー１１は、本体ケース２の内面に接触している。これにより、ブザー９の動作時は、ブザー９とブザー収納部８０とが形成した共鳴空間による音圧増大効果だけでなく、ブザー９の振動がブザーカバー１１を介して本体ケース２にも伝播することによる放音性の向上効果もある。
【００３１】
【発明の効果】
以上のように、本発明の電子体温計によれば、使い勝手や組立性、防水性を損なうことなく、ブザーによる報知音の放音性を向上することができる。
【図面の簡単な説明】
【図１】１実施形態に係る電子体温計の平面図（ａ）、及びその右側面図（ｂ）である。
【図２】同実施形態に係る電子体温計の内部構造を示す斜視図である。
【図３】同電子体温計に用いるブザーの一形態を示す平面図（ａ）、及び従来例に係るブザーの平面図（ｂ）である。
【図４】同電子体温計に用いるブザーの別形態を示す平面図である。
【図５】同実施形態に係る電子体温計の内部構造におけるブザー収納部周辺の拡大斜視図である。
【図６】同実施形態に係る電子体温計の内部構造におけるサブケース、ブザー、ブザーカバーの位置関係を示す分解斜視図（ａ）、及びサブケース、ブザー、ブザーカバーの組み付け状態での（ａ）のＢ−Ｂ線における断面図（ｂ）である。
【図７】同実施形態に係る電子体温計の内部構造におけるブザー収納部周辺の拡大断面図である。
【符号の説明】
１　　　電子体温計
２　　　本体ケース
７　　　中間ユニット
８　　　サブケース（ブザー支持部材）
９　　　ブザー
１０　　制御回路基板（回路基板）
１１　　ブザーカバー（ブザー固定部材）
８０　　ブザー収納部（音響室）
８１　　支持部
【図１】
2004020241.tif 000003
【図２】
2004020241.tif 000004
【図３】
2004020241.tif 000005
【図４】
2004020241.tif 000006
【図５】
2004020241.tif 000007
【図６】
2004020241.tif 000008
【図７】
2004020241.tif 000009